(57)【要約】【課題】自走式背部マッサージ機構を提供する。【解決手段】背凭れフレームとマッサージ本体から構成され、背凭れフレームの両側辺にそれぞれ湾曲した湾曲レールが延び、二つの湾曲レールの外側辺の上下端にそれぞれ結合端が設けられ、結合端は湾曲レールに平行する端面に結合孔が貫設され、その上下端の結合孔に湾曲した押さえシートが螺着され、マッサージ本体は中央に駆動部材が設けられ、駆動部材の側辺に駆動端と受動端があり、その被動端と受動端の側辺に被動棒と受動棒が貫設され、被動棒の両側辺に偏心にマッサージ部品が設けられ、また、被動棒と受動棒の両側辺において適当な位置、駆動輪と案内輪が嵌設され、マッサージ本体は両側にある駆動輪で背凭れフレームの湾曲レール上で変位作動し、また、押さえシートにより、マッサージ本体が背凭れフレームへ向って押さえられ、駆動輪がより緊密に湾曲レールに密着する。【選択図】図２
2010131231.tif 000002
【特許請求の範囲】
【請求項１】
背凭れフレームとマッサージ本体から構成され、
背凭れフレームの両側辺にそれぞれ湾曲した湾曲レールが延び、二つの湾曲レールの外側辺の上下端にそれぞれ結合端が設けられ、上記結合端は湾曲レールに平行する端面に結合孔が貫設され、その上下端の結合孔に湾曲した押さえシートが螺着され、
マッサージ本体は中央に駆動部材が設けられ、上記駆動部材の側辺に駆動端と受動端があり、その被動端と受動端の側辺に被動棒と受動棒が貫設され、被動棒の両側辺に偏心にマッサージ部品が設けられ、また、被動棒と受動棒の両側辺において、適当な位置に駆動輪と案内輪が嵌設され、
上記マッサージ本体は被動棒と受動棒にある駆動輪により背凭れフレームの両側にある湾曲レール上に設置され、その湾曲レールの両側辺にある結合端にそれぞれ押さえシートが螺着され、上記押さえシートは各駆動輪の外側端にある案内輪に抵当して、駆動輪が安定的に湾曲レールの変位空間内に位置付けられ、これにより、マッサージ本体が湾曲レールと押さえシートとの間に制限され、駆動部材が駆動されて、被動棒と受動棒が作動する時、駆動輪の上下変位が湾曲レールの変位空間内に制限される、
ことを特徴とする自走式背部マッサージ機構。
【請求項２】
背凭れフレームは、湾曲した枠体であることを特徴とする請求項１に記載の自走式背部マッサージ機構。
【請求項３】
湾曲レールが低下した位置により、ざらざらの変位空間が形成されることを特徴とする請求項１に記載の自走式背部マッサージ機構。
【請求項４】
押さえシートは、湾曲レールに平行しながら一致するように湾曲された棒体であることを特徴とする請求項１に記載の自走式背部マッサージ機構。
【請求項５】
結合端の側辺の上下両端に、それぞれ、センサーが設けられることを特徴とする請求項１に記載の自走式背部マッサージ機構。
【請求項６】
駆動輪と案内輪は、平行するように、被動棒と受動棒上に設置されることを特徴とする請求項１に記載の自走式背部マッサージ機構。
【請求項７】
被動棒の両側端に、更に、Ｄ型の嵌設端が形成され、また、被動棒に嵌設される駆動輪と案内輪に、Ｄ型の嵌設孔が形成されることを特徴とする請求項１に記載の自走式背部マッサージ機構。
【発明の詳細な説明】
【技術分野】
【０００１】
本発明は、自走式背部マッサージ機構に関し、特に、両側にある駆動輪が、背凭れフレームの湾曲レール上で、変位作動し、押さえシートで、マッサージ本体が、背凭れフレームに抵当されることにより、マッサージ本体が、駆動輪により、安定的且つ確実に湾曲レール上で変位作動するものに関する。
【背景技術】
【０００２】
図７のように、背部マッサージ構造の背凭れ枠体３０は、人体の背部曲面に沿って湾曲されたシュー３１であり、背凭れ枠体３０の一側に、駆動ネジ杆３２が設けられ、上記駆動ネジ杆３２は、駆動モータ３３により回転され、マッサージ本体４０の両側辺の上下端に、それぞれ、摺動輪４１が設けられ、また、後端部に、ネジ杆座４２が伸び、上記ネジ杆座４２の上下端面に、長尺貫通孔４２１が形成され、また、ネジ杆座４２の内部に、収納空間４２２が形成されて、摺動部材４３が設置され、上記摺動部材４３の中央に、スクリュー付きの貫通孔４３１が貫設される。
【０００３】
本発明によれば、マッサージ本体４０の摺動輪４１は、背凭れ枠体３０のシュー３１上に設置され、また、後端に設置されたネジ杆座４２が、駆動ネジ杆３２上に嵌設され、ネジ杆座４２の内部にある摺動部材４３が、貫通孔４３１により、駆動ネジ杆３２に螺着され、駆動モータ３３が駆動されると、駆動ネジ杆３２が連動されて回転され、この時、マッサージ本体４０が、ネジ杆座４２の内部にある摺動部材４３により、シュー３１上で変位作動され、また、マッサージ本体４０が、比較的に大きい曲線で移動する時、上記摺動部材４３が、シュー３１の変化に従って、収納空間４２２内で、転動しながら摺動し、また、ネジ杆座４２が、長尺貫通孔４２１により、駆動ネジ杆３２上で、動揺作動して、マッサージ本体４０が、シュー３１上で変位でき、また、マッサージ本体４０のマッサージ作動により、マッサージ本体４０が、上下へ変位しながらマッサージ作動の効果が得られる。
【０００４】
上記従来の構造は、次の欠点があり、
１、従来の背部マッサージの構造は、そのマッサージ本体４０の摺動部材４３の貫通孔４３１が、駆動ネジ杆３２に噛み合って、駆動ネジ杆３２が駆動されると、螺旋作動を行い、それにより、マッサージ本体４０が、連動されて変位し、また、背凭れ枠体３０は、湾曲したシュー３１を有するため、マッサージ本体４０が、曲線のシュー３１上で作動する時、摺動部材４３が、収納空間４２２内で、転動しながら摺動し、そのため、作動ノイズが発生しやすくて、また、人体の重量が、マッサージ機構に負荷されると、マッサージ本体４０が、頻繁に往復変位する場合、負荷の増大により、消費電力も急速に増大し、経済的ではない構造であり、また、駆動ネジ杆３２と摺動部材４３の歯が、磨耗しやすいため、マッサージ本体４０の変位が、スムーズにならなく、マッサージ構造が故障になる恐れがある。
２、マッサージ本体４０の変位とマッサージの作動は、それぞれ、異なる駆動部材を利用するため、上記マッサージ機構において、消費電力が比較的に大きくなり、そのため、経済的とはいえない。
【０００５】
本発明者は、上記欠点を解消するため、慎重に研究し、また、学理を活用して、有効に上記欠点を解消でき、設計が合理である本発明を提案する。
【発明の開示】
【発明が解決しようとする課題】
【０００６】
本発明の主な目的は、そのマッサージ本体が、両側にある駆動輪で、背凭れフレームの湾曲レール上にて摺動し、また、押さえシートで、マッサージ本体が、背凭れフレーム上に抵当され、駆動輪が、より緊密に湾曲レール上に接触し、そして、マッサージ本体が、背凭れフレームの湾曲レールと押さえシートとの間に制限され、上記マッサージ本体が、安定的且つ確実に湾曲レール上で変位作動でき、また、作動時の機械騒音を低減でき、そして、使用状態下で、作動による磨耗が低減され、効率的にマッサージ効果が得られる自走式背部マッサージ機構を提供する。
【０００７】
本発明の他の目的は、その変位やマッサージ状態が、同一駆動部材により、同期作動の効果が得られ、これにより、マッサージの効果が低下されることなく、消費電力を低減でき、より効率的なマッサージ効果が得られる自走式背部マッサージ機構を提供する。
【課題を解決するための手段】
【０００８】
本發明は、自走式背部マッサージ機構を提供し、背凭れフレームとマッサージ本体が備えられ、背凭れフレームの両側辺に、それぞれ、湾曲した湾曲レールが延び、上記湾曲レールの外側辺の上下両端に、それぞれ、結合端が設けられ、上記結合端は、湾曲レールに平行する端面に、結合孔が貫設され、その両側辺の上下端にある結合孔に、湾曲した押さえシートが螺着され、また、結合端の一側辺の上下端に、それぞれ、センサーが設けられ、マッサージ本体の中央に、駆動部材が設けられ、上記駆動部材の一側辺の上下両端に、それぞれ、被動端と受動端が形成され、また、被動端と受動端の内部から両側辺へ貫通するように、被動棒と受動棒が設けられ、被動棒の両側辺に、偏心に、マッサージ部品が嵌設され、また、被動棒と受動棒の両側辺において、適当な位置に、駆動輪と案内輪が嵌設され、上記マッサージ本体は、被動棒と受動棒端上の駆動輪により、背凭れフレームの両側にある湾曲レール上に設置され、その湾曲レールの両側辺の結合端に、それぞれ、押さえシートが螺着され、上記押さえシートは、各駆動輪の外側端にある案内輪に抵当し、駆動輪が、安定的に湾曲レールの変位空間内に位置付けられ、マッサージ本体が、湾曲レールと押さえシートとの間に制限され、駆動部材が駆動されて被動棒と受動棒が作動すると、駆動輪の上下変位が、湾曲レールの変位空間内に制限され、上記構造により、自走式背部マッサージ機構が構成される。
【０００９】
以下、図面を参照しながら、本発明の特徴や技術内容について、詳しく説明するが、それらの図面等は、参考や説明のためであり、本発明は、それによって制限されることが無い。
【発明を実施するための最良の形態】
【００１０】
図１と２を参照しながら、本発明は、背凭れフレーム１０とマッサージ本体２０から構成され、背凭れフレーム１０は、湾曲した枠体で、その両側辺に、それぞれ、湾曲した湾曲レール１１が伸び、上記湾曲レール１１が低下した位置により、ざらざらの変位空間１２が形成され、また、二つの湾曲レール１１の外側辺の上下端に、それぞれ、結合端１３が設けられ、上記結合端１３は、湾曲レール１１に平行する端面に、結合孔１３１が設けられ、その両側辺の上下端の結合孔１３１に、湾曲した押さえシート１４が螺着され、上記押さえシート１４は、湾曲レール１１に平行しながら一致するように湾曲された棒体であり、また、結合端１３の一側辺の上下両端に、それぞれ、センサー１５が設けられ、マッサージ本体２０の中央に、駆動部材２１が設けられ、上記駆動部材２１の一側辺の上下両端に、それぞれ、被動端２２と受動端２３が形成され、また、被動端２２と受動端２３の側辺に貫通するように、被動棒２２１と受動棒２３１が設けられ、その被動棒２２１の両側辺に、偏心に、マッサージ部品２４が嵌設され（図３のように）、また、被動棒２２１と受動棒２３１の両側辺において、適当な位置に、駆動輪２５と案内輪２５１が嵌設され、また、被動棒２２１の両側端に、更に、Ｄ型の嵌設端２２２が形成され、また、被動棒２２１の駆動輪２５と案内輪２５１に嵌設されるＤ型の嵌設孔２５２が形成される（図４のように）。
【００１１】
図２を参照しながら、本発明によれば、マッサージ本体２０は、被動棒２２１と受動棒２３１端上の駆動輪２５により、背凭れフレーム１０の両側にある湾曲レール１１上に設置され、その湾曲レール１１の両側辺の結合端１３に、押さえシート１４が螺着され、上記押さえシート１４が、各駆動輪２５の外側端の案内輪２５１上に抵当することにより、駆動輪２５が、より緊密に湾曲レール１１に密着し、これにより、マッサージ本体２０が、湾曲レール１１と押さえシート１４との間に制限され、上記構造により、自走式背部マッサージ機構が構成される。
【００１２】
図３乃至６のように、本発明によれば、マッサージ本体２０の両側端に伸びる被動棒２２１と受動棒２３１は、駆動部材２１によって作動され、駆動部材２１が駆動されると、被動棒２２１と受動棒２３１が作動され、被動棒２２１の両側に設置されたマッサージ部品２４が、左右動揺するように、揉みマッサージ状態になり、また、被動棒２２１と受動棒２３１端上に螺着設置された駆動輪２５と案内輪２５１が、回転され、その案内輪２５１が、押さえシート１４により抵当され、駆動輪２５が緊密に湾曲レール１１に密着し、駆動部材２１の作動により、駆動輪２５の上下変位が、湾曲レール１１の変位空間１２内に制限され、また、上記結合端１３の側辺の上下端に、それぞれ、センサー１５が設けられ、マッサージ本体が、駆動輪２５により、背凭れフレーム１０の最上端や最底端に到達すると、そのマッサージ本体２０の両側に設置された案内輪２５１が、結合端１３のセンサー１５に接触して、駆動部材２１が逆回転に作動させる信号が送信され、これにより、マッサージ本体２０が、背凭れフレーム１０の湾曲レール１１上で往復的に作動でき、また、マッサージ部品２４が動揺作動を行って揉みマッサージの効果が得られる。
【００１３】
以上のように、本発明によれば、次の利点が得られ、
１、本発明に係る自走式背部マッサージ機構は、マッサージ本体２０が、両側にある駆動輪２５を利用して、背凭れフレーム１０の湾曲レール１１上を摺動し、また、押さえシート１４により、マッサージ本体２０が、押さえられ背凭れフレーム１０に抵当することにより、マッサージ本体２０が、背凭れフレーム１０の湾曲レール１１と押さえシート１４との間に制限され、また、駆動輪２５が、より緊密に湾曲レール１１上に貼り付き、これにより、上記マッサージ本体２０が、安定的且つ確実に湾曲レール１１上で変位作動でき、また、作動時の機械騒音を低減でき、作動磨耗を低下でき、より効率的なマッサージ効果が得られ、２、本発明によれば、変位とマッサージ状態が、同一駆動部材を利用するため、同期作動の効果が得られ、これにより、マッサージの効果が低下されることなく、消費電力を低減でき、より効率的なマッサージ効果が得られる。
【００１４】
そのため、本発明は、より進歩的かつより実用的で、法に従って特許請求を出願する。
【００１５】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１６】
【図１】本発明の組み立て立体図
【図２】本発明の分解立体図
【図３】本発明のマッサージ本体の断面と作動概念図
【図４】本発明のマッサージ本体の分解立体図
【図５】本発明の断面図
【図６】本発明の作動概念図
【図７】従来の概念図
【符号の説明】
【００１７】
本発明
１０    背凭れフレーム
１１    湾曲レール
１２    変位空間
１３    結合端
１３１  結合孔
１４    押さえシート
１５    センサー
２０    マッサージ本体
２１    駆動部材
２２    被動端
２２１  被動棒
２２２  嵌設端
２３    受動端
２３１  受動棒
２４    マッサージ部品
２５    駆動輪
２５１  案内輪
２５２  嵌設孔
従来
３０    背凭れ枠体
３１    シュー
３２    駆動ネジ杆
３３    駆動モータ
４０    マッサージ本体
４１    摺動輪
４２    ネジ杆座
４２１  長尺貫通孔
４２２  収納空間
４３    摺動部材
４４    貫通孔
【図１】
2010131231.tif 000003
【図２】
2010131231.tif 000004
【図３】
2010131231.tif 000005
【図４】
2010131231.tif 000006
【図５】
2010131231.tif 000007
【図６】
2010131231.tif 000008
【図７】
2010131231.tif 000009
【手続補正書】
【提出日】平成21年7月28日(2009.7.28)
【手続補正１】
【補正対象書類名】図面
【補正対象項目名】全図
【補正方法】変更
【補正の内容】
【図１】
2010131231.tif 000010
【図２】
2010131231.tif 000011
【図３】
2010131231.tif 000012
【図４】
2010131231.tif 000013
【図５】
2010131231.tif 000014
【図６】
2010131231.tif 000015
【図７】
2010131231.tif 000016